(57)【要約】【課題】小型軽量であっても少ない電力と音量で重低音を聴者に感じさせることができるウェアラブルスピーカ装置の提供。【解決手段】ウェアラブルスピーカ装置１は、首掛け式のものであり、右スピーカ１１及び左スピーカ１２と、右スピーカ１１または左スピーカの背圧により振動する振動部３１，３２を備える。振動部３１，３２は、ウェアラブルスピーカ装置１を装着した聴者Ｕの首から上の位置に接触可能な位置に設けられている。【選択図】図１
2019220996.tif 000002
【特許請求の範囲】
【請求項１】
聴者の首に装着されるウェアラブルスピーカ装置であって、
前記ウェアラブルスピーカ装置が前記聴者の首に装着された装着時に、前記聴者の左側に位置する左スピーカと、
前記装着時に、前記聴者の左側に位置する第１の振動部と、
前記装着時に、前記聴者の右側に位置する右スピーカと、
前記装着時に、前記聴者の右側に位置する第２の振動部と、を備える、
ウェアラブルスピーカ装置。
【請求項２】
第１の振動部が発生する振動の周波数帯域の中心値が、前記左スピーカから出力される音の周波数帯域の中心値よりも低周波数側であり、
第２の振動部が発生する振動の周波数帯域の中心値が、前記右スピーカから出力される音の周波数帯域の中心値よりも低周波数側である、
請求項１に記載のウェアラブルスピーカ装置。
【請求項３】
前記第１の振動部は、前記左スピーカとは向きが異なり、
前記第２の振動部は、前記右スピーカとは向きが異なる、
請求項１または請求項２に記載のウェアラブルスピーカ装置。
【請求項４】
前記第１の振動部は、前記装着時に、前記左スピーカよりも前記聴者の近くに位置し、
前記第２の振動部は、前記装着時に、前記右スピーカよりも前記聴者の近くに位置する、
請求項１から請求項３のいずれか１項に記載のウェアラブルスピーカ装置。
【請求項５】
前記第１の振動部は、前記左スピーカから出力される音に応じた振動を発生し、
前記第２の振動部は、前記右スピーカから出力される音に応じた振動を発生する、
請求項１から請求項４のいずれか１項に記載のウェアラブルスピーカ装置。
【発明の詳細な説明】
【技術分野】
【０００１】
本発明は、ウェアラブルスピーカ装置に関し、特に、聴者が耳以外の部分に装着して使用するウェアラブルスピーカ装置に関する。
【背景技術】
【０００２】
スピーカ装置などの音出力装置には、液晶テレビなどの表示装置に内蔵されて用いられるものがある。しかし、内蔵スピーカ装置は、小口径のものが多く、大音量が得られないこと等から臨場感が不足する場合が多い。臨場感を得るために、外部の大口径のスピーカシステムやヘッドホン、イヤホン（例えば特許文献１参照）を用いることが一般的に行われている。
【０００３】
大口径のスピーカシステムは、複数の視聴者が同時に観賞できるメリットがあり、また、ヘッドホンやイヤホンは、１つの装置に対して１人の視聴者しか観賞できないが、周囲の音が遮断される効果があり、没入感が得られるメリットがある。
しかし、一方で、大口径のスピーカシステムを使った観賞は、迫力のある音を得る場合、大音量のために、観賞していない人や近隣へ不快感を与えることがあり、視聴環境に条件や制約が生じることが多い。また、ヘッドホンやイヤホンによる観賞は、周りの音が聞こえなくなる問題や、音像が頭内に定位するということになり長時間の使用により疲労感を感じる問題等もある。
【０００４】
大口径のスピーカシステムやヘッドホン、イヤホンの上述のデメリットを解消するものとしては、聴者が耳以外の部分に装着して使用するスピーカすなわちウェアラブルスピーカ装置が考えられる。
【０００５】
特許文献２には、聴者の耳と非接触状態で首掛けを可能にした首掛け式のウェアラブルスピーカ装置が開示されている。このウェアラブルスピーカ装置は、聴者の首の背に接する湾曲部分を有したフレームと、湾曲部分の方向を向くように上記フレームの両端に設けられたスピーカとを備えており、該スピーカ装置を聴者が装着したときに、スピーカが聴者の顎の下に位置する。
【０００６】
特許文献３及び４には、聴者の首の後から前側に向かって掛けられる首掛け部を有し、首掛け部の両端にスピーカが設けられたウェアラブルスピーカ装置が開示されている。このウェアラブルスピーカ装置では、首掛け部が聴者の首に掛けられたときに右肩に右耳用のスピーカが位置すると共に左肩に左耳用のスピーカが位置する。
【先行技術文献】
【特許文献】
【０００７】
【特許文献１】特許第５６２５９２８号明細書
【特許文献２】特開２００９−２０１０８８号公報
【特許文献３】特開２００８−２６３３７４号公報
【特許文献４】特表平８−５１１１５１号公報
【発明の開示】
【発明が解決しようとする課題】
【０００８】
しかし、特許文献２〜４のような首掛け式や肩に載せる方式のウェアラブルスピーカ装置では、スピーカの大きさや重量は小さいほど望ましい。その場合、重低音を感じさせることが課題となる。
【０００９】
本発明は、上述のような実情に鑑みてなされたものであり、小型軽量であっても少ない電力と音量で重低音を聴者に感じさせることができるウェアラブルスピーカ装置を提供することをその目的とする。
【課題を解決するための手段】
【００１０】
上記課題を解決するために、本発明の第１の技術手段は、装着した際に左側と右側にそれぞれ位置する左スピーカと右スピーカを備える首掛け式のウェアラブルスピーカ装置であって、前記左スピーカの背圧により振動する第１の振動部と前記右スピーカの背圧により振動する第２の振動部を備え、前記第１の振動部と前記第２の振動部は、当該ウェアラブルスピーカ装置を装着した聴者の首から上の位置に接触可能な位置に設けられていることを特徴としたものである。
【００１１】
本発明の第２の技術手段は、第１の技術手段において、前記左スピーカの背圧を前記第１の振動部に伝える第１のエンクロージャと前記右スピーカの背圧を前記第２の振動部に伝える第２のエンクロージャを備え、前記第１のエンクロージャおよび前記第２のエンクロージャは、それぞれ一部に中高音の伝達を防止する細径の部分を有することを特徴としたものである。
【００１２】
本発明の第３の技術手段は、第１または第２の技術手段において、前記第１の振動部と前記第２の振動部とがそれぞれ蛇腹を有し、当該ウェアラブルスピーカ装置を装着した状態において、それぞれの前記蛇腹が前記聴者の方向に向いていることを特徴としたものである。
【００１３】
本発明の第４の技術手段は、第１〜第３のいずれか１の技術手段において、前記左スピーカと前記右スピーカが、当該ウェアラブルスピーカ装置を装着した聴者の外側に向いていることを特徴としたものである。
【発明の効果】
【００１４】
本発明のウェアラブルスピーカ装置によれば、小型軽量であっても少ない電力と音量で重低音を聴者に感じさせることができる。
【図面の簡単な説明】
【００１５】
【図１】本発明の第１の実施形態に係るウェアラブルスピーカ装置を身に付けた聴者の様子を示す図である。
【図２】図１のウェアラブルスピーカ装置の上面図である。
【図３】図１のウェアラブルスピーカ装置１の要部断面図である。
【図４】本発明の第２の実施形態に係るウェアラブルスピーカ装置の上面図である。
【図５】本発明の第３の実施形態に係るウェアラブルスピーカ装置の上面図である。
【発明を実施するための形態】
【００１６】
以下、図面を参照しながら、本発明のウェアラブルスピーカ装置の好適な実施形態について説明する。なお、以下の発明において、異なる図面においても同じ符号を付した構成は同様のものであるとして、その説明を省略する場合がある。
【００１７】
（第１の実施形態）
図１は、本発明の第１の実施形態に係るウェアラブルスピーカ装置を身に付けた聴者の様子を示す図である。図２は、図１のウェアラブルスピーカ装置の上面図である。なお、本明細書において、ウェアラブルスピーカ装置のスピーカが設けられた側をウェアラブルスピーカ装置の前側とし、また、ウェアラブルスピーカ装置の支持部材を水平としたときにスピーカが位置する側をウェアラブルスピーカ装置の上側とする。
【００１８】
図１及び図２に示すように、ウェアラブルスピーカ装置１は、上面視で逆Ｕ字状に形成されており、聴者Ｕが身に付けて使用するものである。このウェアラブルスピーカ装置１は、右スピーカ１１と、左スピーカ１２と、支持部材２０と、振動部３１，３２とを有し、支持部材２０の後端を聴者Ｕの首にかける形態で聴者Ｕに装着される。ウェアラブルスピーカ装置１が装着されたときには、支持部材２０の側部の下面が聴者Ｕの肩や胸に接触するようになっている。
【００１９】
右スピーカ１１は、右耳用の音を出力するものであり、左スピーカ１２は、左耳用の音を出力するものである。右スピーカ１１及び左スピーカ１２はそれぞれ、振動して音を発生する振動板１１ａ，１２ａと、該振動板１１ａ，１２ａを駆動する駆動部１１ｂ，１２ｂと、振動板１１ａ，１２ａ及び駆動部１１ｂ，１２ｂを支えるフレーム１１ｃ，１２ｃと、振動板１１ａ，１２ａ及び駆動部１１ｂ，１２ｂを覆うスピーカボックス１１ｄ，１２ｄを有する。振動板１１ａ，１２ａ及び駆動部１１ｂ，１２ｂは、フレーム１１ｃ，１２ｃを介してスピーカボックス１１ｄ，１２ｄに固定されている。
右スピーカ１１は、振動板１１ａが右側方外側に向くよう支持部材２０に支持され、左スピーカ１２は、振動板１２ａが左側方外側に向くよう支持部材２０に支持されている。
【００２０】
支持部材２０は、右スピーカ１１、左スピーカ１２及び振動部３１，３２を支持するものであると共に、聴者に首掛け式で装着される装着部材であり、首掛け部２１と、第１の連通部２２と、第２の連通部２３とを有する。
【００２１】
首掛け部２１は聴者が首掛け式で装着するためのものであり、中空に形成されている。同様に中空に形成される第１の連通部２２及び第２の連通部２３の中空部分と、首掛け部２１の中空部分とは連通している。ただし、第１の連通部２２の中空部と第２の連通部２３の中空部とは首掛け部２１の隔壁２１ａにより隔てられている。なお、首掛け部２１は中空でなくてもよい。
【００２２】
第１の連通部２２は、右スピーカ１１のスピーカボックス１１ｄと振動部３１とを連通するものであり、それぞれ中空に形成されたベース２２ａ、前側柱部２２ｂ及び後側柱部２２ｃとを有する。第１の連通部２２は、前側柱部２２ｂを介して右スピーカ１１を、また、後側柱部２２ｃを介して振動部３１を、それぞれベース２２ａに支持する。
同様に、第２の連通部２３は、左スピーカ１２のスピーカボックス１２ｄと振動部３２とを連通するものであり、それぞれ中空に形成されたベース２３ａ、前側柱部２３ｂ及び後側柱部２３ｃとを有する。第２の連通部２３は、前側柱部２３ｂを介して左スピーカ１２を、また、後側柱部２３ｃを介して振動部３２を、それぞれベース２３ａに支持する。
【００２３】
振動部３１，３２は、右スピーカ１１または左スピーカ１２の背圧により振動するものであり、中空に形成されている。振動部３１，３２は、上記背圧により振動するよう蛇腹形状に形成された蛇腹部３１ａ，３２ａを有する。
蛇腹部３１ａ，３２ａの端部は、ウェアラブルスピーカ装置１を装着した聴者Ｕの首から上の位置に接触する。より具体的には、蛇腹部３１ａ，３２ａの端部は、例えば上記聴者Ｕの首から耳との間の位置に、該耳を覆わない形態で接触する。
【００２４】
なお、本明細書において「首から上の位置」には「首」も含まれるものとする。また、振動部３１，３２は各スピーカ１１，１２の背圧により振動する形態であれば上述の蛇腹形状に限られない。
【００２５】
図３は図１のウェアラブルスピーカ装置１の要部断面図であり、図３（Ａ）及び図３（Ｂ）はそれぞれ右スピーカ１１及び振動部３１が設けられた部分の断面図である。
【００２６】
ウェアラブルスピーカ装置１において、右スピーカ１１のスピーカボックス１１ｄの中空部分は、図３（Ａ）に示すように、前側柱部２２ｂを介してベース２２ａの中空部分と連通している。そして、ウェアラブルスピーカ装置１において、振動部３１の中空部分は、図３（Ｂ）に示すように、後側柱部２２ｃを介してベース２２ａの中空部分と連通している。言い換えると、スピーカボックス１１ｄ、ベース２２ａ、前側柱部２２ｂ、後側柱部２２ｃは、右スピーカ１１の背圧を振動部３１に伝えるエンクロージャを構成する。このような構成により、振動部３１は右スピーカ１１の背圧により振動可能となっている。
【００２７】
同様に、図示は省略するが、ウェアラブルスピーカ装置１において、左スピーカ１２のスピーカボックス１２ｄの中空部分は、前側柱部２３ｂを介してベース２３ａの中空部分と連通している。そして、ウェアラブルスピーカ装置１において、振動部３２の中空部分は、後側柱部２３ｃを介してベース２３ａの中空部分と連通している。言い換えると、スピーカボックス１２ｄ、ベース２３ａ、前側柱部２３ｂ、後側柱部２３ｃは、左スピーカ１２の背圧を振動部３２に伝えるエンクロージャを構成する。このような構成により、振動部３２は左スピーカ１２の背圧により振動可能となっている。
【００２８】
上述のように、各スピーカ１１，１２の背圧により振動する振動部３１，３２が、ウェアラブルスピーカ装置１を装着した聴者の首から上の位置に、耳を塞がずに接触するため、各スピーカ３１，３２の大きさや重量が小さくても、振動部３１，３２が振動することにより聴者に重低音を感じさせることができる。
また、ウェアラブルスピーカ装置１では、右スピーカ１１，左スピーカ１２に大口径のものを採用する必要がないため、少ない電力でこれらスピーカ１１，１２を駆動することができる。さらにウェアラブルなものであるため、少ない音量で臨場感が得られる。
【００２９】
また、ウェアラブルスピーカ装置１では、前側柱部２２ｂ，２３ｂと後側柱部２２ｃ，２３ｃとが細径に形成されており、各スピーカ１１，１２の背圧による中高音が振動部３１，３２に伝達するのを防止している。したがって、ウェアラブルスピーカ装置１では、振動部３１，３２が中高音域で振動しないため、不快感を聴者に与えるのを防ぐことができる。
上述の例では、前側柱部２２ｂ，２３ｂと後側柱部２２ｃ，２３ｃの両方を、細径に形成し、中高音の伝達防止部としているが、いずれか一方を上記伝達防止部としてもよい。
【００３０】
なお、ウェアラブルスピーカ装置１では、上述のように、スピーカボックス１１ｄやベース２２ａ等の第１の連通部２２によって、右スピーカ１１の背圧を振動部３１に伝えるエンクロージャが構成され、スピーカボックス１２ｄやベース２３ａ等の第２の連通部２３によって、左スピーカ１２の背圧を振動部３２に伝えるエンクロージャが構成されている。そして、これらエンクロージャが聴者に装着可能となっている。
【００３１】
（第２の実施形態）
図４は、本発明の第２の実施形態に係るウェアラブルスピーカ装置の上面図である。
図４のウェアラブルスピーカ装置１´は、図１等のウェアラブルスピーカ装置１と同様に、各スピーカ１１´，１２´及び振動部３１，３２が支持部材２０から上方に突出するような形態で、該各スピーカ１１´，１２´及び振動部３１，３２を支持部材２０に支持する。しかし、ウェアラブルスピーカ装置１´では、ウェアラブルスピーカ装置１と異なり、振動板１１ａ，１２ａが振動部３１，３２の方向、すなわち、ウェアラブルスピーカ装置１を装着する聴者の顔／耳の方向に向いている。
【００３２】
このような形態であっても、重低音を聴者に感じさせることができる。ただし、図１等のウェアラブルスピーカ装置１のように、各スピーカ１１，１２が該装置を装着した聴者の側方外側に向くように各スピーカ１１，１２を支持することによって以下の効果がある。すなわち、耳の方向に向くように各スピーカ１１´，１２´を支持する場合に比べて、各スピーカ１１，１２の振動板１１ａ，１２ａを音源とする音圧分布を、聴者の耳付近において変化の少ないものにすることができる。したがって、ウェアラブルスピーカ装置１では、聴者が左右に首を回したときに聴取される音圧の変化が小さく、より自然な音場を再現することができる。
【００３３】
（第３の実施形態）
図５は、本発明の第３の実施形態に係るウェアラブルスピーカ装置の上面図である。図５のウェアラブルスピーカ装置１”は、図１等のウェアラブルスピーカ装置１と同様に、各スピーカ１１，１２及び振動部３１，３２が支持部材２０´から上方に突出するような形態で、該各スピーカ１１，１２及び振動部３１，３２を支持部材２０´に支持する。しかし、図１等のウェアラブルスピーカ装置１では、第１及び第２の連通部２２，２３のうちの一部である前側柱部２２ｂ，２３ｂ及び後側柱部２２ｃ，２３ｃが中高音の伝達を防止する伝達防止部となっていたのと異なり、本実施形態に係るウェアラブルスピーカ装置１”では、第１及び第２の連通部２２´，２３´の全体が細径の上記伝達防止部となっている。
このような形態とすることにより、ウェアラブルスピーカ装置をより小型でより軽量なものにすることができる。
【００３４】
また、図１等のウェアラブルスピーカ装置１では首掛け部２１が第１及び第２の連通部２２，２３と一体となっていたのと異なり、本実施形態に係るウェアラブルスピーカ装置１”では、首掛け部２１´と第１及び第２の連通部２２´，２３´とは別体となっている。このように別体とすることにより、首掛け部２１´の形状等を任意とすることができるため、ウェアラブルスピーカ装置をより小型でより軽量なものにすることができる。
【００３５】
本実施形態に係る支持部材の形状は、第２の実施形態のウェアラブルスピーカ装置にも適用することができる。
【符号の説明】
【００３６】
１，１´，１”…ウェアラブルスピーカ装置、１１，１１´…右スピーカ、１２，´…左スピーカ、１１ａ，１２ａ…振動板、１１ｂ，１２ｂ…駆動部、１１ｃ，１２ｃ…フレーム、１１ｄ，１２ｄ…スピーカボックス、２０，２０´…支持部材、２１，２１´…首掛け部、２１ａ…隔壁、２２，２２´…第１の連通部、２３，２３´…第２の連通部、２２ａ，２３ａ…ベース、２２ｂ，２３ｂ…前側柱部、２２ｃ，２３ｃ…後側柱部、２３ａ…ベース、２３ｂ…前側柱部、２３ｃ…後側柱部、３１，３２…振動部、３１ａ，３２ａ…蛇腹部。
【図１】
2019220996.tif 000003
【図２】
2019220996.tif 000004
【図３】
2019220996.tif 000005
【図４】
2019220996.tif 000006
【図５】
2019220996.tif 000007